(57)【特許請求の範囲】
【請求項１】
平面形状の表示素子と、
横断面が略Ｌ形の表面部および側面部を有し前記表示素子の表面の周縁および側面を覆う固定用のベゼルとを備え、
このベゼルで覆われた表示素子を前記表面を開放した状態で筐体に収納可能に構成される平面表示装置において、
前記ベゼルの側面部に形成された雌ねじ部と、
少なくとも一部が前記ベゼルの前記表面部と前記側面部との連接部分に沿って前記表面部と平行に形成され前記雌ねじ部と前記表面部との間に位置するスリットと
を具備したことを特徴とする平面表示装置。
【請求項２】
前記ベゼルは、前記表面部と前記側面部との連接部分の角度が９０°より大きく形成されている
ことを特徴とする請求項１記載の平面表示装置。
【請求項３】
前記表示素子は、前記雌ねじ部に前記筐体を介して雄ねじが螺合されることにより前記筐体に固定される
ことを特徴とする請求項１または２記載の平面表示装置。
【発明の詳細な説明】
【０００１】
【発明の属する技術分野】
本発明は、平面形状の表示素子をベゼルで筐体内に収容固定した平面表示装置に関する。
【０００２】
【従来の技術】
一般に、液晶表示素子のような平面形状の表示素子を有する平面表示装置の組み立てに際しては、図５および図６に示すように、平面形状の表示素子11を表示面が開放した状態で図示しない筐体内に収容し、ベゼル12に対して筐体の側壁部側に設けた取付部品13から雄ねじ14を螺入して、一体的に締め付けるいわゆる側方固定方式が用いられている。
【０００３】
ここで、ベゼル12は、金属体で額縁状に形成されており、図６で示すように、横断面が略Ｌ形の表面部15および側面部16を有し、これら表面部15および側面部16によって表示素子11の表面周縁および側面を覆い、筐体側に固定する。なお、17はバックライトで、このバックライト17は表示素子11とともに、プラスチックなどで形成されたフレーム18により一体的に保持される。
【０００４】
このような平面表示装置において、表示素子11の外形寸法公差および筐体側の寸法公差などによって、ベゼル12の側面部16と、筐体側の取付部品13との間に隙間ａが生じた場合、雄ねじ14を筐体側の取付部品13から挿入し、ベゼル12の側面部16に形成した雌ねじ部19に螺合させて一体的に締め付けると、この締め付け力によってベゼル12あるいは筐体側の取付部品13に変形が生じ、筐体中心と表面部15の中心とが不一致となることがある。
【０００５】
また、図５および図６は締め付け力によってベゼル12の一辺が筐体側の取付部品13側に引っ張られ、湾曲変形した場合を示している。このように、ベゼル12の一辺が湾曲変形すると、ベゼル12の表示窓が変形してしまい、筐体の表示窓と表示素子11の表示部との位置が合わなくなる不具合が生じる。また、このようにベゼル12の一辺が湾曲変形した場合、ベゼル12の表面部15の内辺15a には下向きの力が作用し、表示素子11の表面を強く圧迫する。このため、平面表示装置としての使用時における振動によるプーリングあるいはねじり負荷によるタブ切れが発生するおそれがある。
【０００６】
また、雄ねじ14の締め付け力により筐体側が変形することもあるが、不特定な箇所の変形であるため、表示素子11と筐体との間の位置精度が悪くなり、表示素子11の表示部と筐体のフロントマスクとの干渉などを引き起こすおそれもある。
【０００７】
【発明が解決しようとする課題】
このように、表示素子11側のベゼル12と筐体側との間に寸法公差などによって隙間が生じると、これら表示素子11側のベゼル12と筐体側との間を締め付け固定する雄ねじ14の締め付け力によって変形が生じ、種々の不具合を生じるおそれがある問題を有している。
【０００８】
本発明は、上記問題点に鑑みなされたもので、表示素子側のベゼルと筐体側との間に寸法公差などによって隙間が生じても、雄ねじの締め付け力による変形が生じることのない平面表示装置を提供することを目的とする。
【０００９】
【課題を解決するための手段】
本発明は、平面形状の表示素子と、横断面が略Ｌ形の表面部および側面部を有し前記表示素子の表面の周縁および側面を覆う固定用のベゼルとを備え、このベゼルで覆われた表示素子を前記表面を開放した状態で筐体に収納可能に構成される平面表示装置において、前記ベゼルの側面部に形成された雌ねじ部と、少なくとも一部が前記ベゼルの前記表面部と前記側面部との連接部分に沿って前記平面部と平行に形成され前記雌ねじ部と前記表面部との間に位置するスリットとを具備したものである。
【００１０】
そして、ベゼルの側面部に雌ねじ部を形成し、スリットの少なくとも一部をベゼルの表面部と側面部との連接部分に沿って雌ねじ部とベゼルの表面部との間に位置するように表面部と平行に形成したので、ベゼルの表面部に大幅な変形が生じることはなく、変形に伴う種々の不具合を解消できる。
【００１１】
また、ベゼルは、表面部と側面部との連接部分の角度が９０°より大きく形成されているものである。
【００１２】
さらに、表示素子は、雌ねじ部に筐体を介して雄ねじが螺合されることにより筐体に固定されるものである。
【００１３】
【発明の実施の形態】
以下、本発明の一実施の形態を図１ないし図４を参照して説明する。なお、図５および図６で示した従来例に対応する部分には同一符号を付して説明する。
【００１４】
図１ないし図４に示すように、液晶表示素子などの平面形状の表示素子11は、金属製の額縁状に形成されたベゼル22が取り付けられており、このベゼル22は、図２で示すように、横断面が略Ｌ形の表面部23および側面部24を有し、これら表面部23および側面部24によって表示素子11の表面の周縁および側面を覆い、たとえば図３で示す筐体25自体に直接あるいは間接的に固定するものである。このベゼル22の側面部24には雌ねじ部26が一体に形成されており、図３で示すように、筐体25の側壁部25a を貫通する雄ねじ27が螺入される。
【００１５】
なお、表示素子11の背面にはバックライト17が設けられており、プラスチックなどのフレーム18に一体的に取り付けられている。
【００１６】
また、雌ねじ部26は、筐体25の内側面方向に対してフレキシブルとなるように、図１（ｃ）、図２、図３および図４で示すように、雌ねじ部26近くの側面部24にスリット28を設けてこの部分をフレキシブルに構成している。なお、図１（ａ）で示すベゼル22の左側辺は基準辺22a であり、この基準辺22a の位置は不変とするため、図１（ｂ）で示すように、基準辺22a にはスリット28は設けない。
【００１７】
そして、組み立ての際には、ベゼル22を取り付けた表示素子11は、図３で示すように、表示面となる表面を開放した状態で筐体25内に収容される。その後、筐体25の側壁部25a を貫通する雄ねじ27を、ベゼル22の側面部24に設けた雌ねじ部26に螺合させ、一体的に締め付け固定する。
【００１８】
このとき、寸法公差などによってベゼル22の側面部24と筐体25の内側面との間に隙間が生じていると、ベゼル22の側面部24は雄ねじ27による締め付け力によって筐体25の側壁部25a 側へ引き付けられる。そこで、ベゼル22の側面部24に一体に設けられた雌ねじ部26近くにスリット28を設け、このスリット28の部分をフレキシブルに構成しているので、側面部24のこのスリット28の部分のみが図３で示すように変形して筐体25の側壁部25a に引き付けられる。すなわち、表面部23を含む他の部分は原形状のままに維持され、図５で示したようにベゼルの一辺が大きく湾曲することはない。したがって、ベゼルの表示窓の変形により筐体の表示窓と表示素子11の表示部との位置が合わなくなるような不具合は生じない。
【００１９】
なお、上述のように、雌ねじ部26部分が変形する際、場合によってはベゼル22の表面部23の内辺部に下向きの力が生じることもあるが、このような場合には、ベゼル22の略Ｌ形の表面部23と側面部24との角度を９０°より僅かに大きく設定しておけば、下向きの力を軽減できる。したがって、表示素子11の表面部に大きな負担が加わることはなく、平面表示装置としての使用状態において生じる振動やねじれなどに対しても、タブ切れなどが生じることはない。
【００２０】
【発明の効果】
本発明によれば、ベゼルの側面部に雌ねじ部を形成し、スリットの少なくとも一部をベゼルの表面部と側面部との連接部分に沿って雌ねじ部とベゼルの表面部との間に位置するように表面部と平行に形成したので、ベゼルの表面部に大幅な変形が生じることはなく、変形に伴う種々の不具合を解消できる。
【図面の簡単な説明】
【図１】  本発明の平面表示装置の一実施の形態を示す図である。
（ａ）は平面図
（ｂ）は左側面図
（ｃ）は右側面図
【図２】  同上図１のＡ−Ａ断面図である。
【図３】  同上図２で示した部分の筐体への取付け状態を示す断面図である。
【図４】  同上スリット形成状態を示す部分図である。
【図５】  従来例の問題点を説明する平面図である。
【図６】  同上図５のＢ−Ｂ断面図である。
【符号の説明】
11    表示素子
22    ベゼル
23    表面部
24    側面部
25    筐体
26    雌ねじ部
27    雄ねじ
28    スリット
【図１】
0004377479.tif 000002
【図２】
0004377479.tif 000003
【図３】
0004377479.tif 000004
【図４】
0004377479.tif 000005
【図５】
0004377479.tif 000006
【図６】
0004377479.tif 000007